(57)【要約】【課題】簡素な構成で確実にバッテリを放電することができる車両用電源装置を提供する。【解決手段】本発明の車両用電源装置１０は、バッテリ１１と、電力供給正極ライン１２および電力供給負極ライン１３から成る電力供給ライン１４と、パワーコントロールユニットと、電力供給正極ライン１２に介装された第１メインスイッチ１６と、電力供給負極ライン１３に介装された第２メインスイッチ１７と、バイパスライン１８に直列接続された抵抗用スイッチ２０およびプリチャージ用抵抗１９と、電力供給ライン１４に介装されたサービスプラグ２１と、を具備する。また、車両用電源装置１０では、サービスプラグ２１が遮断状態となれば、抵抗用スイッチ２０を導通状態とすることで、バッテリ１１からプリチャージ用抵抗１９に電流を流すことで、バッテリ１１を安全に放電している。【選択図】図６
2020150722.tif 000002
【特許請求の範囲】
【請求項１】
バッテリと、
電力供給正極ラインおよび電力供給負極ラインを有する電力供給ラインと、
前記電力供給ラインを介して、前記バッテリと接続されたパワーコントロールユニットと、
前記電力供給正極ラインに介装された第１メインスイッチと、
前記電力供給負極ラインに介装された第２メインスイッチと、
前記電力供給正極ラインと前記電力供給負極ラインとをバイパスするバイパスラインに直列接続されたプリチャージ用抵抗および抵抗用スイッチと、
前記電力供給ラインに介装され、前記バッテリから前記パワーコントロールユニットに電力が供給される電力供給状態と、前記電力の供給が遮断される遮断状態と、をとることができるサービスプラグと、を具備し、
前記サービスプラグが前記遮断状態となれば、前記抵抗用スイッチを導通状態とすることで、前記バッテリから前記プリチャージ用抵抗に電流を流すことを特徴とする車両用電源装置。
【請求項２】
前記サービスプラグが前記遮断状態となれば、前記サービスプラグが備える放電用抵抗に電流が流れることを特徴とする請求項１に記載の車両用電源装置。
【請求項３】
前記バッテリの充放電を制御する電源制御装置を具備し、
前記電源制御装置は、前記バッテリから前記プリチャージ用抵抗に電流を流す時間が一定以上となれば、
前記バッテリから前記プリチャージ用抵抗への電流の供給を遮断し、前記バッテリから前記電源制御装置に電流を供給することを特徴とする請求項１または請求項２に記載の車両用電源装置。
【請求項４】
前記バッテリの充放電を制御する電源制御装置を具備し、
前記電源制御装置は、前記バッテリの電圧が所定未満となれば、
前記バッテリから前記プリチャージ用抵抗への電流の供給を遮断し、前記バッテリから前記電源制御装置に電流を供給することを特徴とする請求項１または請求項２に記載の車両用電源装置。
【請求項５】
前記電源制御装置は、前記バッテリと共に車両から取り外し可能であることを特徴とする請求項３または請求項４に記載の車両用電源装置。
【請求項６】
前記サービスプラグは、車両の前後方向に沿って変位可能に取り付けられていることを特徴とする請求項１から請求項５の何れかに記載の車両用電源装置。
【請求項７】
前記第１メインスイッチ、前記第２メインスイッチおよび前記抵抗用スイッチは、各々が、リレーから成ることを特徴とする請求項１から請求項６の何れかに記載の車両用電源装置。
【発明の詳細な説明】
【技術分野】
【０００１】
本発明は、車両用電源装置に関し、特に、廃棄時または事故発生時に効果的にバッテリを放電することができる車両用電源装置に関する。
【背景技術】
【０００２】
乗用車等の車両として、ハイブリッド自動車や電気自動車が登場してきており、これらの車両には大型のバッテリが搭載されている。係るバッテリの構成は、例えば、特許文献１ないし特許文献５に記載されている。
【０００３】
車両の廃棄に伴いバッテリを処分する際には、環境保護や安全保障のために一定の規則に従ってバッテリを放電する放電作業を行う必要がある。一般的には、この放電作業では、バッテリを車両から取り外し、取り外したバッテリを放電装置に接続し、放電装置の負荷にてバッテリの電力を吸収することで、バッテリの電圧が一定以下になるまで放電させる。
【０００４】
また、ハイブリッド自動車や電気自動車に衝突事故が発生した際にも、乗員や救助者等を感電から保護するために、バッテリの放電作業が必要とされる。
【先行技術文献】
【特許文献】
【０００５】
【特許文献１】特開平１０−１６４７０９号公報
【特許文献２】特開平８−１０７６０１号公報
【特許文献３】特開平４−１４５８０８号公報
【特許文献４】特開２００６−２２４７７２号公報
【特許文献５】特開２００６−２４６５６９号公報
【発明の概要】
【発明が解決しようとする課題】
【０００６】
しかしながら、整備工場に於いて、バッテリを車両から外して放電装置に接続することは、数百キログラムの重量体であるバッテリの移動を伴う重労働であるため、作業効率を向上することが簡単でない課題があった。
【０００７】
また、バッテリの無力化のために専用の放電装置を利用すると、放電装置の導入や維持管理コストが発生するため、車両の廃棄コストを押し上げてしまう課題があった。
【０００８】
更には、放電装置に接続することでバッテリの電圧を下げることは可能であるが、放電装置に備えられた負荷は、比較的抵抗値が高いものであるため、バッテリを完全に無力化することは簡単でない課題があった。
【０００９】
更に、衝突事故が発生した際、バッテリを無力化するために、放電装置を持ち込んでバッテリを無力化させることは、事故発生時に救助活動が必要な場合があることを考慮すると現実的でない課題もあった。
【００１０】
本発明は、このような問題点を鑑みてなされたものであり、本発明の目的は、簡素な構成で確実にバッテリを放電することができる車両用電源装置を提供することにある。
【課題を解決するための手段】
【００１１】
本発明の車両用電源装置は、バッテリと、電力供給正極ラインおよび電力供給負極ラインを有する電力供給ラインと、前記電力供給ラインを介して、前記バッテリと接続されたパワーコントロールユニットと、前記電力供給正極ラインに介装された第１メインスイッチと、前記電力供給負極ラインに介装された第２メインスイッチと、前記電力供給正極ラインと前記電力供給負極ラインとをバイパスするバイパスラインに直列接続されたプリチャージ用抵抗および抵抗用スイッチと、前記電力供給ラインに介装され、前記バッテリから前記パワーコントロールユニットに電力が供給される電力供給状態と、前記電力の供給が遮断される遮断状態と、をとることができるサービスプラグと、を具備し、前記サービスプラグが前記遮断状態となれば、前記抵抗用スイッチを導通状態とすることで、前記バッテリから前記プリチャージ用抵抗に電流を流すことを特徴とする。
【００１２】
また、本発明の車両用電源装置では、前記サービスプラグが前記遮断状態となれば、前記サービスプラグが備える放電用抵抗に電流が流れることを特徴とする。
【００１３】
また、本発明の車両用電源装置では、前記バッテリの充放電を制御する電源制御装置を具備し、前記電源制御装置は、前記バッテリから前記プリチャージ用抵抗に電流を流す時間が一定以上となれば、前記バッテリから前記プリチャージ用抵抗への電流の供給を遮断し、前記バッテリから前記電源制御装置に電流を供給することを特徴とする。
【００１４】
また、本発明の車両用電源装置では、前記バッテリの充放電を制御する電源制御装置を具備し、前記電源制御装置は、前記バッテリの電圧が所定未満となれば、前記バッテリから前記プリチャージ用抵抗への電流の供給を遮断し、前記バッテリから前記電源制御装置に電流を供給することを特徴とする。
【００１５】
また、本発明の車両用電源装置では、前記電源制御装置は、前記バッテリと共に車両から取り外し可能であることを特徴とする。
【００１６】
また、本発明の車両用電源装置では、前記サービスプラグは、車両の前後方向に沿って変位可能に取り付けられていることを特徴とする。
【００１７】
また、本発明の車両用電源装置では、前記第１メインスイッチ、前記第２メインスイッチおよび前記抵抗用スイッチは、各々が、リレーから成ることを特徴とする。
【発明の効果】
【００１８】
本発明の車両用電源装置は、バッテリと、電力供給正極ラインおよび電力供給負極ラインを有する電力供給ラインと、前記電力供給ラインを介して、前記バッテリと接続されたパワーコントロールユニットと、前記電力供給正極ラインに介装された第１メインスイッチと、前記電力供給負極ラインに介装された第２メインスイッチと、前記電力供給正極ラインと前記電力供給負極ラインとをバイパスするバイパスラインに直列接続されたプリチャージ用抵抗および抵抗用スイッチと、前記電力供給ラインに介装され、前記バッテリから前記パワーコントロールユニットに電力が供給される電力供給状態と、前記電力の供給が遮断される遮断状態と、をとることができるサービスプラグと、を具備し、前記サービスプラグが前記遮断状態となれば、前記抵抗用スイッチを導通状態とすることで、前記バッテリから前記プリチャージ用抵抗に電流を流すことを特徴とする。これにより、本発明の車両用電源装置によれば、バッテリを廃棄する際または車両事故が発生した際に、サービスプラグが遮断状態となれば、抵抗用スイッチを導通状態とすることで、バッテリからプリチャージ用抵抗に電流が流れる。これにより、バッテリ放電用の専用設備にバッテリを接続することなく、バッテリを放電することができる。
【００１９】
また、本発明の車両用電源装置では、前記サービスプラグが前記遮断状態となれば、前記サービスプラグが備える放電用抵抗に電流が流れることを特徴とする。これにより、本発明の車両用電源装置によれば、サービスプラグが備える放電用抵抗に電流が流れることで、放電時における放電用回路の全体的な抵抗値を増加させることができ、より効率的に放電することができる。
【００２０】
また、本発明の車両用電源装置では、前記バッテリの充放電を制御する電源制御装置を具備し、前記電源制御装置は、前記バッテリから前記プリチャージ用抵抗に電流を流す時間が一定以上となれば、前記バッテリから前記プリチャージ用抵抗への電流の供給を遮断し、前記バッテリから前記電源制御装置に電流を供給することを特徴とする。これにより、本発明の車両用電源装置によれば、一定時間が経過した後に、バッテリから電源制御装置に電流を流すことで、バッテリをより確実に放電することができる。
【００２１】
また、本発明の車両用電源装置では、前記バッテリの充放電を制御する電源制御装置を具備し、前記電源制御装置は、前記バッテリの電圧が所定未満となれば、前記バッテリから前記プリチャージ用抵抗への電流の供給を遮断し、前記バッテリから前記電源制御装置に電流を供給することを特徴とする。これにより、本発明の車両用電源装置によれば、バッテリの電圧が所定以下となった後に、バッテリから電源制御装置に電流を流すことで、バッテリをより確実に放電することができる。
【００２２】
また、本発明の車両用電源装置では、前記電源制御装置は、前記バッテリと共に車両から取り外し可能であることを特徴とする。これにより、本発明の車両用電源装置によれば、電源制御装置をバッテリと共に車両から取り外して廃棄できるので、廃棄後であってもバッテリを放電することができる。
【００２３】
また、本発明の車両用電源装置では、前記サービスプラグは、車両の前後方向に沿って変位可能に取り付けられていることを特徴とする。これにより、本発明の車両用電源装置によれば、サービスプラグが前後方向に沿って変位可能であることで、車両に衝突事故が発生した際に、バッテリ等が前方に移動することで、サービスプラグが遮断状態に成り、バッテリを放電することができる。よって、車両衝突事故が発生した際に、人力による操作がなくても、バッテリを放電することができる。更には、車両の整備時に於いて、メカニックが手動でサービスプラグに衝撃を与えることで、バッテリを放電することができる。
【００２４】
また、本発明の車両用電源装置では、前記第１メインスイッチ、前記第２メインスイッチおよび前記抵抗用スイッチは、各々が、リレーから成ることを特徴とする。これにより、本発明の車両用電源装置によれば、簡素な構成で各スイッチを構成することができる。
【図面の簡単な説明】
【００２５】
【図１】本発明の実施の形態に係る車両用電源装置を示す図であり、（Ａ）は車両用電源装置を備えた車両を示す斜視図であり、（Ｂ）は車両用電源装置を示すブロック図である。
【図２】本発明の実施の形態に係る車両用電源装置を示す回路図である。
【図３】本発明の実施の形態に係る車両用電源装置を示す図であり、（Ａ）は電源制御装置等の接続構成を示すブロック図であり、（Ｂ）および（Ｃ）はサービスプラグの構成を示す模式図である。
【図４】本発明の実施の形態に係る車両用電源装置を用いてバッテリを放電する方法を示すフローチャートである。
【図５】本発明の実施の形態に係る車両用電源装置の走行状態を示す回路図である。
【図６】本発明の実施の形態に係る車両用電源装置の放電状態を示す回路図である。
【図７】本発明の実施の形態に係る車両用電源装置の、他の放電状態を示す回路図である。
【図８】本発明の実施の形態に係る車両用電源装置を示す図であり、（Ａ）および（Ｂ）は電池パックとサービスプラグとの構成を示す模式図であり、（Ｃ）は衝突時の車両を示す側面図である。
【発明を実施するための形態】
【００２６】
以下、本発明の実施形態に係る車両用電源装置１０を図面に基づき詳細に説明する。
【００２７】
図１（Ａ）は、車両用電源装置１０を搭載した車両３０を説明する斜視図である。図１（Ｂ）は、車両３０の接続構成を示すブロック図である。
【００２８】
図１（Ａ）に示す如く、自動車や電車等の車両３０には、モータや様々な電装部品に電力を供給するための車両用電源装置１０が搭載されている。車両３０が自動車の場合には、近年、ＥＶ（Ｅｌｅｃｔｒｉｃ  Ｖｅｈｉｃｌｅ）車、ＨＥＶ（Ｈｙｂｒｉｄ  Ｅｌｅｃｔｒｉｃ  Ｖｅｈｉｃｌｅ）車やＰＨＥＶ（Ｐｌｕｇ−ｉｎ  Ｈｙｂｒｉｄ  Ｅｌｅｃｔｒｉｃ  Ｖｅｈｉｃｌｅ）車等が普及している。そして、これらの車両３０にも、高い蓄電機能を有した車両用電源装置１０が搭載されている。
【００２９】
車両３０は、車体３１と、車両３０の底面３８の近傍に規定されたバッテリ配置領域３２に配設された車両用電源装置１０と、車両用電源装置１０から供給される電力により駆動されるモータ２３（図１（Ｂ）参照）と、モータの駆動力で回転するタイヤ（図示せず）と、を有している。ここで、バッテリ配置領域３２は、底面３８以外の領域に配置することも可能であり、例えば、後部座席の後方にバッテリ配置領域３２を設定することもできる。
【００３０】
図１（Ｂ）に示す如く、本実施形態では、バッテリ１１と、パワーコントロールユニット１５とを有する。バッテリ１１は、例えば、リチウムイオンバッテリやニッケル水素バッテリであり、板状の複数のバッテリセルから構成される。
【００３１】
パワーコントロールユニット１５は、バッテリ１１から供給される直流電力を所定の周波数の交流電力に変換するインバータ回路を有している。パワーコントロールユニット１５で生成された交流電力によりモータ２３は回転し、これにより車両３０のタイヤが回転する。
【００３２】
図２は車両用電源装置１０を示すブロック図である。車両用電源装置１０では、バッテリ１１とパワーコントロールユニット１５とは、電力供給ライン１４を介して接続している。電力供給ライン１４は、バッテリ１１の正極と接続する電力供給正極ライン１２と、バッテリ１１の負極と接続する電力供給負極ライン１３と、を有する。
【００３３】
電力供給正極ライン１２には第１メインスイッチ１６が介装されており、電力供給負極ライン１３には第２メインスイッチ１７が介装されている。第１メインスイッチ１６および第２メインスイッチ１７が導通状態となることで、バッテリ１１からパワーコントロールユニット１５に直流電力が供給される。一方、第１メインスイッチ１６および第２メインスイッチ１７が遮断状態となることで、バッテリ１１からパワーコントロールユニット１５へ直流電力は供給されない。第１メインスイッチ１６および第２メインスイッチ１７としては、例えばリレー（システム・メイン・リレー）が採用される。リレーを採用することで、小さな制御電力で大電流のスイッチングを行うことができる。係る事項は、後述する他のスイッチに関しても同様である。
【００３４】
電力供給正極ライン１２と電力供給負極ライン１３と間には、バイパスライン１８が形成されている。バイパスライン１８には、プリチャージ用抵抗１９と抵抗用スイッチ２０とが直列に接続されている。プリチャージ用抵抗１９は、プリチャージの為の抵抗であり、プリチャージ用スイッチ２４を介してパワーコントロールユニット１５と接続している。抵抗用スイッチ２０は、プリチャージ用抵抗１９を用いてバッテリ１１を放電するためのスイッチである。ここで、プリチャージとは、バッテリ１１とパワーコントロールユニット１５とを接続し、パワーコントロールユニット側コンデンサ部への充電を行う際に、第１メインスイッチ１６および第２メインスイッチ１７へ突入電流が流れて接点が溶着しないように予備充電することである。
【００３５】
電力供給負極ライン１３には、サービスプラグ２１が介装されている。サービスプラグ２１は、バッテリ１１からパワーコントロールユニット１５に電力が供給される電力供給状態と、電力の供給が遮断される遮断状態と、をとることができる。電力供給状態と遮断状態との切替は、サービスプラグ２１を変位させることで行うことができる。例えば、サービスプラグ２１をスライドさせることで、電力供給状態と遮断状態とを切り替えることができる。また、サービスプラグ２１には、放電用抵抗２５が内蔵されている。放電用抵抗２５は、サービスプラグ２１が電力供給状態の際には、電力供給負極ライン１３に接続されていない。一方、放電用抵抗２５は、サービスプラグ２１が遮断状態の際には、電力供給負極ライン１３に接続される。また、サービスプラグ２１には、ＮＴＣサーミスタも内蔵されており、後述するように、放電時に於いてＮＴＣサーミスタの抵抗値が一定以上に大きくなったら、放電用回路を切り替えている。
【００３６】
電源制御装置２２は、バッテリ１１の正極および負極を含む全バッテリセルに接続されている。電源制御装置２２は、ＢＣＵ（Ｂａｔｔｅｒｙ  Ｃｏｎｔｒｏｌ  Ｕｎｉｔ）とも称され、車両用電源装置１０の各部位の動作を制御する。上記した各スイッチの導通および遮断は、電源制御装置２２が制御する。
【００３７】
図３を参照して、上記した電源制御装置２２およびサービスプラグ２１を詳述する。図３（Ａ）は電源制御装置２２を詳しく示すブロック図であり、図３（Ｂ）は電力供給状態のサービスプラグ２１を示す模式図であり、図３（Ｃ）は遮断状態のサービスプラグ２１を示す模式図である。
【００３８】
図３（Ａ）を参照して、電源制御装置２２は、電圧検出回路３３、放電回路３４および放電切替回路３５を有する。また、電源制御装置２２はコネクタ２７を介してバッテリ１１と接続される。更に、電源制御装置２２はコネクタ２８を介してサービスプラグ２１と接続される。
【００３９】
電圧検出回路３３は、バッテリ１１を構成する全てのバッテリセルの電圧を検出する回路である。放電切替回路３５は、後述するように、バッテリ１１の放電時間または放電に伴う電圧変化に基づいて、電力の径路を切り替える回路である。放電回路３４は、上記したプリチャージ用抵抗１９よりも抵抗値が小さい抵抗を備えており、バッテリ１１の追加的な放電を行う回路である。
【００４０】
図３（Ｂ）を参照して、サービスプラグ２１は、サービスプラグベース３７とサービスプラググリップ３６とを有する。サービスプラググリップ３６は、サービスプラグベース３７に対してスライド移動可能に組み合わされている。図３（Ｂ）には、通常走行を行う状態、即ちバッテリ１１からパワーコントロールユニット１５に電力が供給される電力供給状態を示している。ここで、車両制御装置２６は、サービスプラググリップ３６の内部回路を経由して導通している。車両制御装置２６は、ＥＣＵ（Ｅｌｅｃｔｒｉｃ  Ｃｏｎｔｒｏｌ  Ｕｎｉｔ）とも称される。
【００４１】
図３（Ｃ）に、遮断状態、即ち放電状態のサービスプラグ２１を示している。サービスプラググリップ３６を紙面上に於いて左方にスライドさせることで、図３（Ｂ）に示す走行状態から図３（Ｃ）に示す放電状態に移行される。放電状態では、電源制御装置２２の内部の放電用抵抗２５（図２参照）に導通可能になる。
【００４２】
図４に基づいて、上記した各図および図５ないし図８も参照しつつ、本実施形態の車両用電源装置１０を用いたバッテリ１１の放電方法を説明する。図４は放電方法を示すフローチャートであり、図５は通常走行状態（電力供給状態）における車両用電源装置１０の動作を示し、図６は放電の前半段階における車両用電源装置１０の動作を示し、図７は放電の後半段階における車両用電源装置１０の動作を示し、図８はサービスプラグ２１の挙動を示している。
【００４３】
図５を参照して、通常走行状態（電力供給状態）では、電力供給正極ライン１２および電力供給負極ライン１３から成る電力供給ライン１４を介して、バッテリ１１から直流電力がパワーコントロールユニット１５に供給される。パワーコントロールユニット１５は、直流電力を所定の周波数の交流電力に変換し、この交流電力を図１（Ｂ）に示したモータ２３に供給する。
【００４４】
図５では、導通状態となっているスイッチにハッチングを付しており、遮断状態となっているスイッチにはハッチングを付していない。ここでは、第１メインスイッチ１６および第２メインスイッチ１７が導通状態であり、抵抗用スイッチ２０およびプリチャージ用スイッチ２４が遮断状態である。係るハッチングに関する事項は、図６および図７に関しても同様である。また、サービスプラグ２１は導通状態となっており、サービスプラグ２１は電力供給負極ライン１３を流れる電力を遮断しない。
【００４５】
次に、ステップＳ１０では、サービスプラグ２１が導通状態から遮断状態に遷移するように操作される。サービスプラグ２１の操作は、乗員、作業員または救助者が行っても良い。更には、後述するように、車両３０が衝突したことにより生じる衝撃により、サービスプラグ２１が変位しても良い。
【００４６】
図８を参照して、車両３０に衝突事故が発生した際の衝撃を用いてサービスプラグ２１を操作する方法を説明する。図８（Ａ）は走行時に於けるバッテリパック２９とサービスプラグ２１の構成を示す上面図であり、図８（Ｂ）は衝突事故が発生することで遮断状態（放電状態）となったバッテリパック２９およびサービスプラグ２１を示す上面図であり、図８（Ｃ）は衝突事故が発生した車両３０を示す側面図である。
【００４７】
先ず、図８（Ａ）に示すように、車両３０の走行状態ではサービスプラグ２１の前端部分は、バッテリパック２９の前面よりも前方に配置されている。ここで、サービスプラグ２１は前後方向に変位することで、導通状態から遮断状態に遷移する。
【００４８】
図８（Ｃ）に示すように、車両３０に後方から他の車両４０が衝突すると、バッテリパック２９を前方に移動させようとする力が作用する。
【００４９】
これにより、図８（Ｂ）を参照して、バッテリパック２９が前方に向かって移動する一方、サービスプラグ２１は例えばシートバック等の車体側部品の一部と接触して、サービスプラグ２１がバッテリパック２９に押し込まれる形となる。これにより、サービスプラグ２１を、図５に示す電力供給状態から、図６に示す遮断状態に移行できる。
【００５０】
ステップＳ１１では、サービスプラグ２１の１２Ｖ系のインターロック回路を遮断し、放電切替回路３５が導通する。具体的には、サービスプラグ２１の状態を、図３（Ｂ）に示す走行状態から、図３（Ｃ）に示す放電状態に移行する。これにより、ステップＳ１２に於いて、インターロック回路遮断と放電切替導通を示す信号が、電源制御装置２２および車両制御装置２６に入力される。
【００５１】
ステップＳ１３では、図６を参照して、電源制御装置２２の指示に基づいて、第１メインスイッチ１６および第２メインスイッチ１７が遮断状態とされる。また、ステップＳ１４では、電源制御装置２２の指示に基づいて、抵抗用スイッチ２０が導通状態となる。この時、サービスプラグ２１に内蔵された放電用抵抗２５が、電力供給負極ライン１３に介装されている。このようにすることで、ステップＳ１５では、プリチャージ用抵抗１９および放電用抵抗２５を電流が通過することで、バッテリ１１が放電される。また、ステップＳ１５では、サービスプラグ２１が温度上昇することで、サービスプラグ２１に内蔵されるＮＴＣサーミスタも温度上昇することで抵抗値が下がり、放電が進行する。
【００５２】
ここで、本実施形態では、プリチャージ用抵抗１９および放電用抵抗２５を用いて放電を行っているが、プリチャージ用抵抗１９のみに電流を通過させることで放電を進行させることもできる。更には、放電用抵抗２５のみに電流を通過させることで放電を進行させることもできる。
【００５３】
ステップＳ１６では、上記した放電を続けると、プリチャージ用抵抗１９および放電用抵抗２５を通過する電流が少なくなることで、サービスプラグ２１の温度が低下する。よって、ステップＳ１７では、ＮＴＣサーミスタも温度低下することで抵抗値が上がり、徐々にバッテリ１１の放電ができなくなる。
【００５４】
ステップＳ１８では、電源制御装置２２は、図３（Ａ）に示した電圧検出回路３３にて、バッテリ１１の電池セルの電圧をモニタし、その電圧が閾値である２Ｖ未満であるか否かを判断する。電源制御装置２２は、その電圧が２Ｖ未満であれば、即ちステップＳ１８がＹＥＳであれば、ステップＳ１９に移行する。一方、電源制御装置２２は、その電圧が２Ｖ以上であれば、即ちステップＳ１８がＮＯであれば、ステップＳ１５に戻り、放電を続行する。ステップＳ１９では、電源制御装置２２の放電切替回路３５でもバッテリ１１の電池セルの電圧をモニタすることで、より正確なモニタが可能となる。
【００５５】
ステップＳ２０では、電源制御装置２２は、モニタした電圧が一定未満となったことで放電用回路を切り替える。具体的には、図７に示すように、電源制御装置２２は、第１メインスイッチ１６、第２メインスイッチ１７および抵抗用スイッチ２０を遮断状態とする。そして、電源制御装置２２は、バッテリ１１からの電流を電源制御装置２２の内部抵抗に流す。具体的には、図３（Ａ）を参照して、電源制御装置２２の放電切替回路３５が、バッテリ１１からの電流を、放電回路３４に流す。
【００５６】
電源制御装置２２の内部抵抗の抵抗値は、プリチャージ用抵抗１９および放電用抵抗２５の合算抵抗値よりも小さい。または、電源制御装置２２の内部抵抗の抵抗値は、プリチャージ用抵抗１９および放電用抵抗２５の各々の抵抗値よりも小さい。よって、ステップＳ２１で、バッテリ１１の電圧値が２Ｖ未満と低い場合でも、電源制御装置２２にバッテリ１１から電流を流すことで、バッテリ１１をほぼ完全に放電することができる。
【００５７】
ここで、ステップＳ２０では、電源制御装置２２は、バッテリ１１の電池セルの電圧が一定未満となったことで放電用回路を切り替えるが、放電時間に基づいて切替を行うこともできる。具体的には、電源制御装置２２は、プリチャージ用抵抗１９および放電用抵抗２５を用いた放電時間をモニタし、この放電時間が一定以上になれば、放電用回路を切り替えてもよい。更には、電源制御装置２２は、上記した電圧および放電時間の両方をモニタし、電圧が閾値未満であり、且つ、放電時間が一定以上になれば、放電用回路を切り替えることも出来る。
【００５８】
ステップＳ２２では、車両３０からバッテリ１１を外して破棄する。この時、電源制御装置２２とバッテリ１１とを接続した状態で破棄すれば、破棄後もバッテリ１１から電源制御装置２２に電流が流れることでバッテリ１１が放電される。よって、破棄後にバッテリ１１の電圧が回復してしまうことが防止され、破棄後に於けるバッテリ１１を取り扱う作業者の安全性を向上できる。
【００５９】
以上が、バッテリ１１の放電方法に関する説明である。
【００６０】
以上、本発明の実施形態について説明したが、本発明は、これに限定されるものではなく、本発明の要旨を逸脱しない範囲で変更が可能である。また、上記した各形態は相互に組み合わせることが可能である。
【符号の説明】
【００６１】
１０   車両用電源装置
１１   バッテリ
１２   電力供給正極ライン
１３   電力供給負極ライン
１４   電力供給ライン
１５   パワーコントロールユニット
１６   第１メインスイッチ
１７   第２メインスイッチ
１８   バイパスライン
１９   プリチャージ用抵抗
２０   抵抗用スイッチ
２１   サービスプラグ
２２   電源制御装置
２３   モータ
２４   プリチャージ用スイッチ
２５   放電用抵抗
２６   車両制御装置
２７   コネクタ
２８   コネクタ
２９   バッテリパック
３０   車両
３１   車体
３２   バッテリ配置領域
３３   電圧検出回路
３４   放電回路
３５   放電切替回路
３６   サービスプラググリップ
３７   サービスプラグベース
３８   底面
４０   車両
【図１】
2020150722.tif 000003
【図２】
2020150722.tif 000004
【図３】
2020150722.tif 000005
【図４】
2020150722.tif 000006
【図５】
2020150722.tif 000007
【図６】
2020150722.tif 000008
【図７】
2020150722.tif 000009
【図８】
2020150722.tif 000010